(57)【要約】【課題】本発明は複数の印字ヘッドが一列に整列され、紙送りと共に印字を行う複数の印字ヘッドの異常判定を容易に行えることを課題とする。【解決手段】伝票発行機では、伝票９４の下部に印字機構９０の印字欠落をテストするためのテストパターン９６を印字する。このテストパターン９６の印字長さは、バーコード９８（９８ａ〜９８ｃ）の印字領域の幅寸法を同じ寸法、あるいはそれよりも長い寸法に形成されている。バーコード表示欄には、同一パターンのバーコード９８ａ〜９８ｃが排出方向（Ｙ方向）と交差するＸ方向に寸法ｓだけずれた階段状に印字されている。印字ヘッド９０１〜９０ｎの一部で作動不良が発生して印字欠落があると、位置ずれさせて印字させたバーコード９８ａ〜９８ｃの何れかの白線部分と印字欠落部分とが一致していればバーコード９８ａ〜９８ｃを読み取ることが可能になる。【選択図】    図５
2004284169.tif 000002
【特許請求の範囲】
【請求項１】
伝票用紙の搬送方向に対して交差する方向の各印字ポイントに対向するように整列された複数の印字ヘッドを有する印字機構と、
該印字機構を介して伝票発行口へ伝票用紙を送り出すための送り機構と、
前記印字機構と前記送り機構とを駆動制御することによりバーコードが印字された伝票を発行させる制御手段と、
を備えた伝票発行機において、
前記制御手段は、前記伝票用紙のバーコード印字欄の直前、あるいは直後に、前記伝票用紙の排出方向と交差する方向に延在する直線状のテストパターンを印字させるテストパターン印字手段を備えたことを特徴とする伝票発行機。
【請求項２】
伝票用紙の搬送方向に対して交差する方向の各印字ポイントに対向するように整列された複数の印字ヘッドを有する印字機構と、
該印字機構を介して伝票発行口へ伝票用紙を送り出すための送り機構と、
前記印字機構と前記送り機構とを駆動制御することによりバーコードが印字された伝票を発行させる制御手段と、
を備えた伝票発行機において、
前記制御手段は、前記伝票用紙のバーコード印字欄に同一パターンのバーコードを前記伝票用紙の排出方向と交差する方向に位置ずれさせて印字させるバーコード印字手段を備えたことを特徴とする伝票発行機。
【発明の詳細な説明】
【０００１】
【発明の属する技術分野】
本発明は伝票発行機に係り、特にバーコードが印字された伝票を発行するように構成された伝票発行機に関する。
【０００２】
【従来の技術】
伝票を発行する際にバーコードを印字する伝票発行機としては、例えば、セルフサービス方式の計量機が設置された給液所でガソリンや軽油等の燃料を車両の燃料タンクに供給した場合した計量機に搭載された伝票発行機から伝票を発行するように構成されたものがある。
【０００３】
このセルフサービス方式の計量機では、計量機に設けられた入金機に紙幣が挿入された後、油種、給液量または給液金額を入力されると、給液可能状態になる。そして、計量機では、給液終了後、入金金額から給液量に応じた給液金額と消費税とを合計した金額を差し引いて釣り銭金額を算出する。その後、計量機に設けられた伝票発行機から給液情報及び伝票番号を示すバーコードが印字された伝票が発行される。
【０００４】
そして、この伝票のバーコードを計量機とは別に設けられた釣り銭機のバーコードリーダに読み取らせると、この伝票に対する釣銭を読み出し、当該釣銭を払い出す。
【０００５】
また、上記伝票発行機は、サーマルヘッドなどからなる印字ヘッドを有する印字機構と、内部に有する伝票用紙を一定速度で搬送される搬送用ローラとから大略構成されている。上記印字機構は、伝票の搬送方向に直交する方向に延在するように複数の印字ヘッドが整列されており、伝票用紙が搬送用ローラの回転により一定速度で搬送されると共に、任意の給液情報及びバーコードが印字される。
【０００６】
尚、伝票用紙は、熱を印加されると、発色する感熱紙からなり、印字ヘッドの発熱により所定の文字、記号、数字、バーコードなどが印字される。
【０００７】
【特許文献１】
特開平４−５７７９４号公報
【０００８】
【発明が解決しようとする課題】
しかしながら、上記従来の伝票発行機において印字ヘッドの一部分が故障した場合には、伝票に故障した印字ヘッドに対応する伝票用紙のバーコード印字個所にバーコードを印字することができなくなるため、伝票に印字されたバーコードを読み取るバーコードリーダでは、バーコードを正確に読み取ることができないおそれがある。
【０００９】
特に、セルフサービス方式の計量機に設けられた伝票発行機は屋外に設置されることになるため、上記故障による印字不能の他、空気中を浮遊する塵埃や雨による水滴の印字ヘッドへの付着により、複数の印字ヘッドが一列に配置された印字ヘッドの一部が一時的に作動不良となってしまうことがある。そして、この場合においても作動不良となった印字ヘッドに対応する部分への印字ができないこととなり、上述と同様の問題が発生する確率が高くなる。
そこで、本発明は上記課題を解決した伝票発行機を提供することを目的とする。
【００１０】
【課題を解決するための手段】
本発明は上記課題を解決するため、以下のような特徴を有する。
上記請求項１記載の発明は、伝票用紙のバーコード印字欄の直前、あるいは直後に、伝票用紙の排出方向と交差する方向に延在する直線状のテストパターンを印字させるテストパターン印字手段を備えたものであり、テストパターンに印字欠落があると、印字ヘッドの一部で作動不良が発生していることが容易に分かり、バーコードの読み取りが正常に行われないおそれがあることを視覚的に確認することができる。
【００１１】
上記請求項２記載の発明は、伝票用紙のバーコード印字欄に同一パターンのバーコードを伝票用紙の排出方向と交差する方向に位置ずれさせて印字させるバーコード印字手段を備えたものであり、印字ヘッドの一部で作動不良が発生している場合でも、階段状にずらして印字させたバーコードの何れかの白線部分と印字欠落部分とが一致していればバーコードを読み取ることが可能になる。
【００１２】
【発明の実施の形態】
以下、図面と共に本発明の実施の形態について説明する。
図１は本発明になる伝票発行機の一実施例が適用された燃料供給システムの構成図である。
図１に示されるように、燃料供給システム１０は、給液エリア１２に設置された釣り銭機１４と、複数の燃料供給装置１６（１６１〜１６ｎ）と、事務所１８内に設置された管理コンピュータ２０と、管理コンピュータ２０に接続されたＰＯＳ本体２１とを有する。管理コンピュータ２０は、モニタ２０ａに各燃料供給装置１６（１６１〜１６ｎ）の動作状態を表示している。
【００１３】
釣り銭機１４は、例えば、給液作業終了後に入金金額と給液金額との差額（釣り銭）を支払うための装置であり、係員の釣り銭補充作業を容易にするため、事務所の近傍に設けられている。また、釣り銭機１４には、バーコードリーダからなる伝票読み取り機（図示せず）が設けられており、後述する伝票に印字されたバーコードを読み取ってバーコード読み取り情報から得られた伝票番号等の情報を管理コンピュータ２０へ転送する。
【００１４】
燃料供給装置１６は、セルフサービス給液方式の計量機２４と、計量機２４に搭載された設定器２６と、紙幣などの貨幣を入金するための入金機２８とを有する。また、釣り銭機１４及び複数の燃料供給装置１６（１６１〜１６ｎ）は、通信回線（例えば、ＳＳ−ＬＡＮ）３０を介して管理コンピュータ２０と接続されている。
【００１５】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００１６】
図２は燃料供給装置１６の正面図である。
図２に示されるように、燃料供給装置１６は、セルフサービス方式の計量機２４からなり、操作部３８と、操作部３８の両側に起立する支柱４０，４２と、上部に横架されたホース支持部４４とを有する。
【００１７】
計量機２４の内部には、後述する各給液系統の電磁弁と、給液ポンプと、流量計などの各機器が設けられている。
【００１８】
操作部３８には、静電気除去シート４６と、静電気除去シート４６の右側に配置された設定器２６と、入金機２８と、インタホン４８とが設けられている。設定器２６は、液晶モニタなどからなるタッチパネル４９を有し、タッチパネル４９に表示された設定入力画面に触れることで液種（軽油、レギュラーガソリン、ハイオクガソリン）を選択、給液量の入力操作などを行える。また、設定器２６の上方には、人検知センサ５０が設けられている。この人検知センサ５０は、例えば、光センサあるいはイメージセンサなどを用いたものであり、給液操作を行う操作者が設定器２６の前に立ったことを検知してその検知信号を出力するものである。この人検知センサ５０がオンになると、顧客が設定器２６の前にいるものと判断して、設定器２６に設定入力画面が表示される。
【００１９】
また、タッチパネル４９は、設定器２６と流量表示器とを兼ねている。すなわち、給液開始前のタッチパネル４９は、設定器２６の設定操作部として機能すると共に、設定終了後のタッチパネル４９は、給液量を表示する給液量表示器として機能するように設けられている。
【００２０】
入金機２８は、挿入された紙幣の種別（千円札、２千円札、５千円札、一万円札）を鑑別する鑑別機能を有しており、顧客が挿入した紙幣の金額は設定器２６に表示される。
【００２１】
カード挿入部５４は、給液所が発行したプリペイドカード、あるいはクレジットカードを挿入されると、カードに記憶された情報を読み取り、これにより、給液が可能かどうかを設定器２６に表示される。
【００２２】
伝票発行機５６は、給液が終了すると、液種、給液量、給液金額、消費税、合計金額などの給液情報を記載したレシートを発行する。
【００２３】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２４】
図３は燃料供給装置１６の各機器の構成を示すブロック図である。
図３に示されるように、燃料供給装置１６の制御回路６６には、各給液経路に設けられた電磁弁６８、給液ポンプ７０、流量計７２、メモリ８０、人検知センサ５０、ノズル掛け６２に設けられたノズルスイッチ７４、入金機２８に設けられた紙幣鑑別部７６、設定器２６、カード挿入部５２に設けられたカードＲ／Ｗ７８、インタホン４８、伝票発行機５６と接続されている。
【００２５】
燃料供給装置１６に搭載された伝票発行機５６は、後述するように燃料供給が停止した後釣り銭が発生した場合に入金金額から燃料供給量に対応する支払い金額を差し引いた釣り銭金額及びバーコードを記載した伝票を発行するものである。
【００２６】
図４は伝票発行機５６の概略構成を示す斜視図である。
図４に示されるように、伝票発行機５６は、印刷用紙８４を供給する印刷用紙ロール８６と、印刷用紙８４を排出方向（Ｙ方向）に搬送する用紙送り機構８８と、伝票用紙８４の搬送方向に対して交差するＸ方向の各印字ポイントに対向するように整列された複数の印字ヘッドを有する印字機構９０と、制御回路９２とを有する。用紙送り機構８８は、印刷用紙８４の上下方向から接触する搬送ローラ８８ａ，８８ｂを有し、印刷時に搬送ローラ８８ａ，８８ｂを定速回転させて印刷用紙８４を一定速度で排出させる。
【００２７】
印字機構９０は、印刷用紙８４の排出方向（Ｙ方向）と直交する横方向（Ｘ方向）に延在するように複数の印字ヘッド９０１〜９０ｎが一列に整列されている。印字ヘッド９０１〜９０ｎは、例えば、サーマルヘッドからなり、印刷用紙８４の搬送速度に同期して各印字ヘッド９０１〜９０ｎが発熱することにより印刷用紙８４の表面に形成された感熱層が発色して所定の文字、数字、記号、バーコードなどを印字するものである。
【００２８】
制御回路９２は、制御手段としてのマイクロコンピュータからなり、給液作業が終了してノズル掛け６２に給液ノズル６０が戻されてノズルスイッチ７４がオンになると、印刷用紙ロール８６及び搬送ローラ８８ａ，８８ｂを回転駆動する各モータ（図示せず）の回転数を制御して印刷用紙８４を排出方向（Ｙ方向）へ搬送すると共に、印字機構９０の各印字ヘッド９０１〜９０ｎを発熱させて給液情報やバーコードを印字する。
【００２９】
また、制御回路９２のメモリには、伝票用紙のバーコード印字欄の直前、あるいは直後に、伝票用紙の排出方向と交差する方向に延在する直線状のテストパターンを印字させる制御プログラム（テストパターン印字手段）、伝票用紙のバーコード印字欄に同一パターンのバーコードを伝票用紙の排出方向と交差する方向に階段状にずらして印字させる制御プログラム（バーコード印字手段）が格納されている。
【００３０】
また、伝票発行機５６は、印字機構９０の排出側にカッタ（図示せず）を有しており、印刷が終了すると、印刷用紙８４の一部を残して切断する。これにより、伝票発行機５６から排出された伝票は風が吹いても飛ばないように一部が接続された状態で排出される。
【００３１】
図５は伝票発行機５６により印字された伝票の印字例を示す図である。
図５に示されるように、伝票９４は、店名（例えば、○○○ＳＳ）９４ａ、電話番号９４ｂ、発行年月日・時間９４ｃ、伝票番号９４ｄ、給液された液種（例えば、レギュラー）及び給液量（例えば、２２．１８Ｌ）９４ｅ、単価（例えば、９０円／Ｌ）９４ｆ、給液金額（例えば、１９９６円）９４ｇ、消費税（例えば、１００円）９４ｈ、合計金額（例えば、２０９６円）９４ｉ、預かり金額（例えば、１００００円）９４ｊ、釣り銭金額（この場合、７９０４円）９４ｋ、などの給液情報が印字される。また、伝票９４には、「ありがとうございました」というメッセージ９４ｍ、「お釣りがある場合は、つり銭機でお受け取りください」というメッセージ９４ｎが印字される。
【００３２】
さらに、伝票９４の下部には、印字機構９０の印字欠落をテストするためのテストパターン９６が印字される。このテストパターン９６の印字長さは、バーコード９８（９８ａ〜９８ｃ）の印字領域の幅寸法を同じ寸法、あるいはそれよりも長い寸法に形成されている。
【００３３】
このように、テストパターン９６は、バーコード印字欄の直前位置（上方位置）に印字されており、伝票用紙８４の排出方向と交差するＸ方向に延在する直線状パターンである。そのため、テストパターン９６は、印字機構９０に異常が無い場合は、連続する一直線で印字されるが、各印字ヘッド９０１〜９０ｎの一つでも発熱しないときは、その部分のみが欠落して白い筋状に表示される。
【００３４】
よって、テストパターン９６に印字欠落があると、印字ヘッド９０１〜９０ｎの一部で作動不良が発生していることが容易に分かり、バーコード９８の読み取りが正常に行われないおそれがあることを視覚的に確認することができる。
【００３５】
また、テストパターン９６の下部となる所定位置Ａ〜Ｃには、伝票番号を識別するための識別データを表示するバーコード９８（９８ａ〜９８ｃ）が印字され、所定位置Ｄには、バーコード番号１００が印字される。
【００３６】
バーコード表示欄には、同一パターンのバーコード９８ａ〜９８ｃが排出方向（Ｙ方向）と交差するＸ方向に寸法ｓだけずれた階段状に印字されている。尚、バーコード９８ａ〜９８ｃは、例えば、黒線の２〜３本分の幅で横方向（Ｘ方向）にずらして印字される。
【００３７】
このように、印字ヘッド９０１〜９０ｎの一部で作動不良が発生していて印字欠落がある場合であっても、階段状にずらして印字させたバーコード９８ａ〜９８ｃの何れかの白線部分と印字欠落部分とが一致していればそのバーコードを読み取ることが可能になる。これにより、釣り銭機１４に伝票９４が挿入された場合には、バーコード９８ａ〜９８ｃのうち印字ヘッドの作動不良の影響を受けずに印字されたバーコードを読み取る事が可能となり、この結果、当該伝票番号に対応したつり銭の払い出しを行うことができる。
【００３８】
尚、伝票９４の印字例として図５に示すものを例示したが、これに限らず、印字内容の差異にかかわらず、バーコードが印字される伝票であれば良い。
【００３９】
図６は印字ヘッド９０１〜９０ｎの一部で作動不良が発生した場合の印字例を示す図である。
図６に示されるように、印字ヘッド９０１〜９０ｎの一部で作動不良が発生した場合、例えば、テストパターン９６に印字欠落９６ａ，９６ｂが現われる。この印字欠落９６ａ，９６ｂにより、印字ヘッド９０１〜９０ｎの作動不良箇所が目視により確認される。
【００４０】
また、印字欠落９６ａ，９６ｂの位置が階段状に寸法ｓずつ横方向（Ｘ方向）にずらしたバーコード９８ａ〜９８ｃの何れかの白線部分と一致する場合、その一致するバーコードを読み取ることが可能になる。ここでは、印字欠落９６ａ，９６ｂの位置が上段のバーコード９８ａに含まれる白線部分と一致するため、上段のバーコード９８ａが読み取り可能となる。
【００４１】
図７は印字ヘッド９０１〜９０ｎの一部で作動不良が発生した場合の他の印字例を示す図である。
図７に示されるように、テストパターン９６に印字欠落９６ｃが現われた場合、印字欠落９６ｃにより、印字ヘッド９０１〜９０ｎの作動不良箇所が目視により確認される。
【００４２】
また、印字欠落９６ｃの位置がバーコード９８ａ〜９８ｃの何れかの白線部分と一致する場合、その一致するバーコードを読み取ることが可能になる。ここでは、印字欠落９６ｃの位置が中段のバーコード９８ｂに含まれる白線部分と一致するため、中段のバーコード９８ｂが読み取り可能となる。
【００４３】
図８は印字ヘッド９０１〜９０ｎの一部で作動不良が発生した場合の別の印字例を示す図である。
図８に示されるように、テストパターン９６に印字欠落９６ｄが現われた場合、印字欠落９６ｄにより、印字ヘッド９０１〜９０ｎの作動不良箇所が目視により確認される。
【００４４】
また、印字欠落９６ｄの位置がバーコード９８ａ〜９８ｃの何れかの白線部分と一致する場合、その一致するバーコードを読み取ることが可能になる。ここでは、印字欠落９６ｄの位置が下段のバーコード９８ｃに含まれる白線部分と一致するため、下段のバーコード９８ｃが読み取り可能となる。
【００４５】
図９はテストパターン９６の変形例を示す図である。
図９に示されるように、変形例では、テストパターン９６がバーコード印字欄の排出側となる直後位置（下方位置）に印字されており、伝票用紙８４の排出方向と交差するＸ方向に延在する直線状パターンである。
【００４６】
ここで、燃料供給装置１６の制御回路６６が実行する制御処理について図１０を参照して説明する。尚、燃料供給装置１６の制御回路６６は、予め設定された所定時間ごとに図１０に示す処理を繰り返す。
図１０に示されるように、燃料供給装置１６の制御回路６６は、ステップＳ１１（以下「ステップ」を省略する）において、設定器２６により燃料の種別を含む供給前の給液情報が入力されたかどうかをチェックする。
【００４７】
Ｓ１１において、給液情報が入力されると、Ｓ１２に進み、供給前情報を管理コンピュータ２０に出力する。次のＳ１３では、給液ノズル６０がノズル掛け６２から外されたかどうかをチェックする。
【００４８】
Ｓ１３において、ノズル掛け６２のノズルスイッチ７４がオフに切り替わると、給液ノズル６０がノズル掛け６２から外されたものと判断してＳ１４に進み、ノズル外れ信号を管理コンピュータ２０に出力する。
【００４９】
次のＳ１５では、管理コンピュータ２０から許可信号が入力されたかどうかをチェックする。Ｓ１５において、許可信号が入力されると、Ｓ１６に進み、給液ポンプ７０を起動させる。
【００５０】
続いて、Ｓ１７に進み、流量計７２から出力された流量パルスを積算して供給量を演算する。次のＳ１８では、給液ノズル６０がノズル掛け６２に戻されたかどうかをチェックする。
【００５１】
Ｓ１８において、ノズル掛け６２のノズルスイッチ７４がオフであるときは、給液ノズル６０がノズル掛け６２から外されているものと判断して上記Ｓ１７の処理を行う。また、Ｓ１８において、ノズル掛け６２のノズルスイッチ７４がオンであるときは、給液ノズル６０がノズル掛け６２に戻されたものと判断してＳ１９に進み、今回供給された燃料供給量の積算値を実供給量として管理コンピュータ２０に出力する。
【００５２】
ここで、管理コンピュータ２０が実行する制御処理について図１１を参照して説明する。尚、管理コンピュータ２０は、予め設定された所定時間ごとに図１１に示す処理を繰り返す。
図１１に示されるように、管理コンピュータ２０は、Ｓ２１において、燃料供給装置１６から供給前情報（液種、給液量または給液金額などの入力情報）が転送されて入力されたかどうかをチェックする。
【００５３】
Ｓ２１で燃料供給装置１６から供給前情報が転送されていないときは、Ｓ２２に進み、釣り銭機１４から伝票番号が入力されたかどうかをチェックする。Ｓ２２で釣り銭機１４から伝票番号が入力されないときは、再びＳ２１に戻る。
【００５４】
Ｓ２１において、燃料供給装置１６から供給前情報が転送されたときは、Ｓ２３に進み、燃料供給装置１６からノズル外れ信号が転送されて入力されたかどうかをチェックする。
【００５５】
Ｓ２３において、燃料供給装置１６からノズル外れ信号が転送されたときは、Ｓ２４に進み、供給許可の指示が入力されたかどうかをチェックする。Ｓ２４において、給液所の係員が供給許可の操作を行うと、Ｓ２５に進み、当該燃料供給装置１６に対して許可信号を出力する。
【００５６】
また、Ｓ２６では、燃料供給装置１６から実供給情報が入力されたかどうかをチェックする。Ｓ２６において、燃料供給装置１６から実供給情報が入力されると、Ｓ２７で実供給情報を記憶装置２２に記憶させる。
【００５７】
また、上記Ｓ２２において、釣り銭機１４から伝票番号が入力されたときは、Ｓ２８に進み、当該伝票番号に対応する記憶装置２２に記憶された実供給情報を読み出す。続いて、Ｓ２９に進み、当該伝票番号に対応する実供給情報に基づいて入金金額から給液金額、消費税を差し引いてつり銭額を演算する。
【００５８】
次のＳ３０では、つり銭額を釣り銭機１４へ出力する。
【００５９】
ここで、伝票発行機５６の制御回路９２が実行する制御処理について図１２を参照して説明する。尚、制御回路９２は、予め設定された所定時間ごとに図１２に示す処理を繰り返す。
図１２に示されるように、伝票発行機５６の制御回路９２は、Ｓ３１において、燃料供給装置１６から実供給情報が入力されたかどうかをチェックする。Ｓ３１で、燃料供給装置１６から実供給情報が入力されているときは、Ｓ３２に進み、用紙送り機構８８の搬送ローラ８８ａ，８８ｂを回転駆動させて印刷用紙８４を一定速度で排出方向（Ｙ方向）へ搬送させる（図４参照）。
【００６０】
次のＳ３３では、実供給情報（液種、給液量、給液金額、入金金額等の情報）の印字を指示する。続いて、Ｓ３４に進み、印字機構９０の全ての印字ヘッド９０１〜９０ｎに対して、印字するように指示する。これにより、印字機構９０の印字ヘッド９０１〜９０ｎは、一斉に発熱して印刷用紙８４のバーコード印字欄の直前位置に横方向（Ｘ方向）に延在する直線状のテストパターン９６が印字される（図５参照）。
【００６１】
続いて、Ｓ３５では、印字機構９０の印字ヘッド９０１〜９０ｎに対して、予め設定された所定位置Ａに上段のバーコード９８ａの印字を指示する。
【００６２】
次のＳ３６では、印字機構９０の印字ヘッド９０１〜９０ｎに対して、上記所定位置Ａより横方向（Ｘ方向）に寸法ｓだけずらした所定位置Ｂに中段のバーコード９８ｂの印字を指示する。
【００６３】
次のＳ３７では、印字機構９０の印字ヘッド９０１〜９０ｎに対して、上記所定位置Ｂより横方向（Ｘ方向）に寸法ｓだけずらした所定位置Ｃに下段のバーコード９８ｃの印字を指示する。
【００６４】
次のＳ３８では、印字機構９０の印字ヘッド９０１〜９０ｎに対して、上記所定位置Ｃより排出方向（Ｙ方向）にずらした所定位置Ｄにバーコード番号１００の印字を指示する。
【００６５】
続いて、Ｓ３９に進み、用紙送り機構８８の搬送ローラ８８ａ，８８ｂの回転駆動を停止させる。これで、伝票発行機５６の制御回路９２による印字制御処理が終了し、今回給液された情報が記載された伝票９４が発行される。
【００６６】
ここで、釣り銭機１４の制御回路（図示せず）が実行する制御処理について図１３を参照して説明する。尚、釣り銭機１４の制御回路（図示せず）は、予め設定された所定時間ごとに図１３に示す処理を繰り返す。
図１３に示されるように、釣り銭機１４の制御回路は、Ｓ４１で釣り銭機１４に設けられた伝票読み取り機（図示せず）によって伝票９４から読み取ったバーコード情報が入力されたかどうかをチェックする。Ｓ４１において、バーコード情報が入力されたときは、Ｓ４２に進み、バーコード情報の中に含まれる伝票番号を管理コンピュータ２０へ転送する。
【００６７】
次のＳ４３では、管理コンピュータ２０から釣り銭額が入力されたかどうかをチェックする。Ｓ４３で管理コンピュータ２０から釣り銭額が入力されたときは、Ｓ４４に進み、釣り銭の排出を指示する。
【００６８】
このようにセルフサービス方式で給液作業を行った顧客は、給液金額が入金金額よりも少ない場合には、伝票発行機５６により発行された伝票９４を釣り銭機１４に設けられた伝票読み取り機（図示せず）に挿入することで、伝票９４に印字されたバーコード９８が読み取られて釣り銭が払い出される。
【００６９】
尚、上記実施の形態では、給液に先立って紙幣などの貨幣を入金し、給液終了後に発行される伝票により釣銭の精算を行なう所謂、前払い方式の給油システムについて説明しているが、本発明は、この前払い方式の給油システムに適用されるものに限定されるものではなく、例えば、給液終了後に発行される伝票により精算を行なう所謂、後払い方式の給油システムに適用しても良いことは勿論である。
【００７０】
また、上記実施の形態では、サーマルヘッドを印字ヘッドに用いた伝票発行機を一例として挙げたが、これに限らず、例えば、インクジェット方式の印字ヘッドを用いたものにも適用できるのは勿論である。
【００７１】
また、上記実施の形態では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給するシステムにも適用できるのは勿論である。
【００７２】
また、上記実施の形態では、ＰＯＳ無しでの商品管理を行っているが、ＰＯＳでの給油システムで実施することも可能である。
【００７３】
【発明の効果】
上述の如く、上記請求項１記載の発明によれば、伝票用紙のバーコード印字欄の直前、あるいは直後に、伝票用紙の排出方向と交差する方向に延在する直線状のテストパターンを印字させるテストパターン印字手段を備えたため、テストパターンに印字欠落があると、印字ヘッドの一部で作動不良が発生していることが容易に分かり、バーコードの読み取りが正常に行われないおそれがあることを視覚的に確認することができる。
【００７４】
上記請求項２記載の発明によれば、伝票用紙のバーコード印字欄に同一パターンのバーコードを伝票用紙の排出方向と交差する方向に位置ずれさせて印字させるバーコード印字手段を備えたため、印字ヘッドの一部で作動不良が発生している場合でも印字欠落があると、階段状にずらして印字させたバーコードの何れかの白線部分と印字欠落部分とが一致していればバーコードを読み取ることができる。
【図面の簡単な説明】
【図１】本発明になる燃料供給システムの一実施例の構成図である。
【図２】燃料供給装置１６の正面図である。
【図３】燃料供給装置１６の各機器の構成を示すブロック図である。
【図４】伝票発行機５６の概略構成を示す斜視図である。
【図５】伝票発行機５６により印字された伝票の印字例を示す図である。
【図６】印字ヘッド９０１〜９０ｎの一部で作動不良が発生した場合の印字例を示す図である。
【図７】印字ヘッド９０１〜９０ｎの一部で作動不良が発生した場合の他の印字例を示す図である。
【図８】印字ヘッド９０１〜９０ｎの一部で作動不良が発生した場合の別の印字例を示す図である。
【図９】テストパターン９６の変形例を示す図である。
【図１０】燃料供給装置１６の制御回路６６が実行する制御処理を説明するためのフローチャートである。
【図１１】管理コンピュータ２０が実行する制御処理を説明するためのフローチャートである。
【図１２】伝票発行機５６の制御回路９２が実行する制御処理を説明するためのフローチャートである。
【図１３】釣り銭機１４の制御回路（図示せず）が実行する制御処理を説明するためのフローチャートである。
【符号の説明】
１０  給液システム
１４  釣り銭機
１６（１６１〜１６ｎ）  燃料供給装置
２８  入金機
５６  伝票発行機
８０  メモリ
８４  印刷用紙
８６  印刷用紙ロール
８８  用紙送り機構
８８ａ，８８ｂ  搬送ローラ
９０  印字機構
９２  制御回路
９０１〜９０ｎ  印字ヘッド
９２  制御回路
９４  伝票
９６  テストパターン
９８（９８ａ〜９８ｃ）  バーコード
１００  バーコード番号
【図１】
2004284169.tif 000003
【図２】
2004284169.tif 000004
【図３】
2004284169.tif 000005
【図４】
2004284169.tif 000006
【図５】
2004284169.tif 000007
【図６】
2004284169.tif 000008
【図７】
2004284169.tif 000009
【図８】
2004284169.tif 000010
【図９】
2004284169.tif 000011
【図１０】
2004284169.tif 000012
【図１１】
2004284169.tif 000013
【図１２】
2004284169.tif 000014
【図１３】
2004284169.tif 000015